【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】  （ａ）実質的に荷電していない表面を有するコア材料；並びに
（ｂ）（ｂ１）コア材料を、第一のポリイオン性材料と接触させて、該ポリイオン性材料を該コア材料と結合させてコーティングされた装置を形成する工程；及び
（ｂ２）該コーティングされた装置を、該第一のポリイオン性材料の電荷と反対の電荷を有する第二のポリイオン性材料と接触させて、高分子電解質二重層を有する装置を形成する工程、により得られる、ポリイオン性材料の少なくとも１の二重層を含む表面コーティング
を含む生物医学的装置。
【請求項２】  前記装置が、眼科用レンズである、請求項１記載の生物医学的装置。
【請求項３】  前記表面コーティングが、複数の二重層を含む、請求項２記載の眼科用レンズ。
【請求項４】  前記表面コーティングが、５〜２０の二重層を含む、請求項２又は３記載の眼科用レンズ。
【請求項５】  前記表面コーティングが、１０〜１５の二重層を含む、請求項２〜４のいずれか１項記載の眼科用レンズ。
【請求項６】  第一のポリイオン性材料が、ポリカチオン性材料であり、第二のポリイオン性材料が、ポリアニオン性材料である、請求項２〜５のいずれか１項記載の眼科用レンズ。
【請求項７】  ポリカチオン性材料が、ポリ（塩酸アリルアミン）、ポリ（エチレンイミン）、ポリ（ビニルベンジルトリメチルアミン）、ポリアニリン、ポリピロール、ポリ（ピリジニウムアセチレン）、それらの誘導体、及びそれらの混合物からなる群から選択される、請求項６記載の眼科用レンズ。
【請求項８】  ポリアニオン性材料が、ポリメタクリル酸、ポリアクリル酸、ポリ（チオフェン−３−酢酸）、ポリ（４−スチレンスルホン酸）、それらの誘導体、及びそれらの混合物からなる群から選択される、請求項６又は７記載の眼科用レンズ。
【請求項９】  コアレンズ材料の表面電荷密度が、該表面コーティングの塗布前の表面の前処理によって改変されていない、請求項２〜８のいずれか１項記載の眼科用レンズ。
【請求項１０】  コンタクトレンズである、請求項２〜９のいずれか１項記載の眼科用レンズ。
【請求項１１】  前記コアが、疎水性であり、前記表面コーティングが、親水性である、請求項２〜１０のいずれか１項記載の眼科用レンズ。
【請求項１２】  前記コアが、シロキサン含有ポリマーである、請求項２〜１１のいずれか１項記載の眼科用レンズ。
【請求項１３】  コンタクトレンズである請求項２記載の眼科用レンズであって、
前記表面コーティングが、複数の二重層を含み；
第一のポリイオン性材料が、ポリカチオン性材料であり、かつ第二のポリイオン性材料が、ポリアニオン性材料であり；
ポリカチオン性材料が、ポリ（塩酸アリルアミン）、ポリ（エチレンイミン）、ポリ（ビニルベンジルトリメチルアミン）、ポリアニリン、ポリピロール、ポリ（ピリジニウムアセチレン）、それらの誘導体、及びそれらの混合物からなる群から選択され；
ポリアニオン性材料が、ポリメタクリル酸、ポリアクリル酸、ポリ（チオフェン−３−酢酸）、ポリ（４−スチレンスルホン酸）、それらの誘導体、及びそれらの混合物からなる群から選択され；そして
前記コアが、疎水性であり、かつ前記表面コーティングが、親水性である、
眼科用レンズ。
【請求項１４】  ポリイオン性材料の数平均分子量が、２５，０００〜１５０，０００の間である、請求項２〜１３のいずれか１項記載の眼科用レンズ。
【請求項１５】  ポリイオン性材料の数平均分子量が、７５，０００〜１００，０００の間である、請求項２〜１４のいずれか１項記載の眼科用レンズ。
【請求項１６】  実質的に荷電していない表面を有するコア材料からなる生物医学的装置上に、ポリイオン性材料の少なくとも１の二重層を含む表面コーティングを製造する方法であって、
（ａ）コア材料を、第一のポリイオン性材料と接触させて、該ポリイオン性材料を該コア材料と結合させてコーティングされた装置を形成する工程；及び
（ｂ）該コーティングされた装置を、該第一のポリイオン性材料の電荷と反対の電荷を有する第二のポリイオン性材料と接触させて、高分子電解質二重層を有する装置を形成する工程
を含む方法。
【請求項１７】  前記生物医学的装置が、眼科用レンズである、請求項１６記載の方法。
【請求項１８】  （ａ）コアレンズを第一のポリイオン性材料の第一の溶液に浸漬することによって、第一のポリイオン性材料のコーティングを該レンズに塗布する工程；
（ｂ）該レンズをすすぎ溶液と接触させることによって、該レンズをすすぐ工程；
（ｃ）該レンズを、第二のポリイオン性材料の第二の溶液に浸漬することによって、第二のポリイオン性材料のコーティングを該レンズに塗布する（ここで該第二のポリイオン性材料は、第一のポリイオン性材料の電荷と反対の電荷を有している）工程；及び
（ｄ）該レンズをすすぎ溶液と接触させることによって、該レンズをすすぐ工程
を含む、請求項１７記載の方法。
【請求項１９】  前記レンズを溶液に浸漬することによって、前記の接触の少なくとも１が行われる、請求項１６又は１７記載の方法。
【請求項２０】  溶液を前記レンズに噴霧することによって、前記の接触の少なくとも１が行われる、請求項１６又は１７記載の方法。
【請求項２１】  ポリイオン性溶液のpHが、２〜５の間である、請求項１８記載の方法。
【請求項２２】  前記すすぎ溶液がそれぞれ、前に塗布したポリイオン性溶液のpHから１のpH単位内のpHを有する、請求項１８記載の方法。
【請求項２３】  （ａ）コアレンズを第一のポリイオン性材料の第一の溶液と接触させることによって、第一のポリイオン性材料のコーティングを該レンズに塗布する工程；
（ｂ）該レンズをすすぎ溶液と接触させることによって、該レンズをすすぐ工程；
（ｃ）該レンズを乾燥する工程；
（ｄ）該レンズを第二のポリイオン性材料の第二の溶液と接触させることによって、第二のポリイオン性材料のコーティングを該レンズに塗布する（ここで該第二のポリイオン性材料は、第一のポリイオン性材料の電荷と反対の電荷を有している）工程；
（ｅ）該レンズをすすぎ溶液と接触させることによって、該レンズをすすぐ工程；及び
（ｆ）該レンズを乾燥する工程
を含む、請求項１７記載の方法。
【請求項２４】  前記レンズを溶液に浸漬することによって、前記接触の少なくとも１が行われる、請求項２３記載の方法。
【請求項２５】  前記レンズに溶液を噴霧することによって、前記の接触の少なくとも１が行われる、請求項２３記載の方法。
【請求項２６】  材料の電荷密度を増大させるための前処理を適用しない、請求項１６〜２５のいずれか１項記載の方法。
【請求項２７】  前記の方法が、工程（ａ）〜工程（ｆ）を５〜２０回の間の回数繰り返すことを含む、請求項２３記載の方法。
【請求項２８】  前記の方法が、工程（ａ）〜（ｂ）を５〜２０回の間の回数繰り返すことを含む、請求項１６記載の方法。
【請求項２９】  物品を形成し、物品を製造したモールドからコーティング材料をトランスファーグラフトすることによって、該物品をコーティングする方法であって、
（ａ）モールドの少なくとも一部をポリイオン性材料の溶液と接触させることによって、ポリイオン性材料のコーティングをモールドに塗布する工程；
（ｂ）該モールドに液状成形材料を分配することによって、該液状成形材料を該コーティングと接触させる工程；
（ｃ）該モールドコーティングを該液状成形材料と、該コーティングの少なくとも一部が該モールドから該成形材料に移行するのに十分な時間接触させる工程；及び
（ｄ）該液状成形材料を硬化させることによって、ポリイオン性コーティングを有する固形の成形された物品を形成する工程
を含む方法。
【請求項３０】  実質的に荷電していない表面を有する、物品の表面を改変する方法であって、
（ａ）物品を、第一のポリイオン性材料と接触させて、該ポリイオン性材料を該物品と結合させてコーティングされた物品を形成する工程；
（ｂ）該コーティングされた物品を、該第一のポリイオン性材料の電荷と反対の電荷を有する第二のポリイオン性材料と接触させて、高分子電解質二重層を有する物品を形成する工程；及び
（ｃ）コーティングされた物品を、該ポリイオン性材料の該官能基に反応性である基を含むさらなる材料と接触させることによって反応させ、そして該さらなる材料を、工程（ａ）及び（ｂ）により得られた該ポリイオン性コーティング上にグラフトさせる工程
を含む方法。
【請求項３１】  請求項３０記載の方法により得られる、コーティングされた生物医学製品。
【請求項３２】  工程（ａ）のポリイオン性材料が、カチオン性ポリイオン性材料であり；
工程（ｂ）のポリイオン性材料が、アニオン性ポリイオン性材料であり、そしてその方法が追加の工程として
（ｃ）生物医学的装置をポリアリルアミングルコノラクトンと接触させることによって、該ポリアリルアミングルコノラクトンを該アニオン性ポリイオン性材料と結合させる工程
を含む、請求項１６記載の方法。
【請求項３３】  工程（ｂ）及び（ｃ）を複数回繰り返す、請求項３２記載の方法。
【請求項３４】  工程（ｂ）及び（ｃ）を２〜７回繰り返す、請求項３２記載の方法。